(57)【要約】【課題】行の選択の途中で放射線照射信号を受け取った場合での放射線照射時間を短くすることができる放射線検出器及び放射線透過画像取得システムを提供する。【解決手段】放射線検出器は、放射線を検出して電荷を発生する素子をマトリックス状に配置し、放射線の線量に対応する電荷を所定の周期で一行ずつ選択して読み出す。放射線検出器は、先頭行から最終行まで選択し終わる期間である１フレーム分の読み出しが終了するのを待つことなく、先頭行から行の選択を開始する。【選択図】図６
2019201329.tif 000002
【特許請求の範囲】
【請求項１】
放射線を検出して電荷を発生する素子をマトリックス状に配置し、
前記放射線の線量に対応する電荷を所定の周期で一行ずつ選択して読み出す放射線検出器であって、
先頭行から最終行まで選択し終わる期間である１フレーム分の読み出しが終了するのを待つことなく、前記先頭行から行の選択を開始する
ことを特徴とする放射線検出器。
【請求項２】
検査対象物を透過する放射線を検出する放射線検出器であって、
前記検査対象物へ放射線が照射されたことを検出することにより、前記先頭行から行の選択を開始する
ことを特徴とする請求項１に記載の放射線検出器。
【請求項３】
前記検出がない期間は、一定間隔で先頭行から行の選択を開始する
ことを特徴とする請求項２に記載の放射線検出器。
【請求項４】
前記一定間隔で先頭行から行の選択により、前記放射線の照射以外で発生する電荷をリセットする
ことを特徴とする請求項３に記載の放射線検出器。
【請求項５】
請求項２から請求項４までの何れか１つに記載の放射線検出器と、
前記放射線検出器が読み出した電荷を画像に処理する情報処理装置と
を備え、
前記放射線検出器は、前記検査対象物への放射線照射の検出時のみ、前記読み出した電荷を前記情報処理装置へ転送する
ことを特徴とする放射線透過画像取得システム。
【請求項６】
放射線を検出して電荷を発生する素子をマトリックス状に配置し、検査対象物を透過する放射線を検出する放射線検出器であって、
前記電荷を、所定の周期で一行ずつ選択して先頭行から最終行まで選択し終わる期間である１フレーム分の読み出しを行う第１の期間と、
前記検査対象物へ前記放射線が照射されたことを検出することにより、先頭行からの選択を開始し、前記電荷を、所定の周期で一行ずつ選択して前記先頭行から最終行まで選択し終わる期間である１フレーム分の読み出しを行う第２の期間と
を備え、
前記第２の期間は、前記第１の期間の終了を待つことなく開始し、
前記第１の期間と、前記第２の期間とが重なる期間は、選択行が複数発生する
ことを特徴とする放射線検出器。
【請求項７】
前記第１の期間は、前記放射線の照射以外で発生する電荷をリセットする
ことを特徴とする請求項６に記載の放射線検出器。
【請求項８】
請求項６又は請求項７に記載の放射線検出器と、
前記放射線検出器が読み出した電荷を画像に処理する情報処理装置と
を備え、
前記放射線検出器は、前記検査対象物への放射線照射の検出時のみ、前記読み出した電荷を前記情報処理装置へ転送する
ことを特徴とする放射線透過画像取得システム。
【請求項９】
放射線を検出して電荷を発生する素子をマトリックス状に配置し、
前記放射線が照射された検査対象物から検知した前記放射線の線量に対応する電荷を所定の周期で一行ずつ選択して読み出す放射線検出器であって、
前記放射線の照射により蓄積された信号を読み出した後、先頭行から最終行まで選択し終わる期間である１フレーム分の読み出しによる電荷のリセットが終了するのを待つことなく、前記先頭行から行の選択を開始する
ことを特徴とする放射線検出器。
【発明の詳細な説明】
【技術分野】
【０００１】
本発明は、放射線検出器に関し、特に、間接方式の放射線検出器及び放射線透過画像取得システムに関する。
【背景技術】
【０００２】
放射線検査として、例えば、間接方式の放射線検出器が従来から知られている（例えば特許文献１参照）。間接方式の放射線検出器は、放射線（Ｘ線）が照射された検査対象物から検知した放射線の線量に対応する電荷を所定の周期で一行ずつ選択して読み出す。
【０００３】
このような放射線検出器は、例えば、検査対象物に照射された放射線の透過量に応じて変化する放射線光変換部（シンチレータ）からの光の発光量を、行方向及び列方向に配置されたそれぞれの光電受光素子（フォトダイオード）毎に該発光量に応じた電荷量の電荷に変換する。変換した電荷を蓄積し、蓄積した電荷を読み出して画像データを生成する。こうすることで、検査対象物の透過像を得ることができる。
【０００４】
放射線検出器は、行方向の光電受光素子を選択する行駆動回路と、行駆動回路で選択された光電受光素子において蓄積された電荷を列方向に並列に読み出す読出回路とを備える。
【０００５】
行駆動回路は、先頭行から最終行に向かって、所定の周期で一行ずつ光電受光素子を選択（スキャン）する。ここで、行駆動回路が先頭行から最終行まで選択し終わる期間を１フレームと定義する。選択された各行では、各行にある光電受光素子に蓄積された電荷を読出回路へ出力する。
【０００６】
一方、放射線検出器は、放射線が照射されていない状態（以下、ｄａｒｋ状態ともいう。）でも、暗電流と呼ばれる電荷（暗電流電荷）が光電受光素子に蓄積される。光電受光素子に蓄積された電荷の読出動作を行うことで暗電流電荷（以下、暗電流ともいう。）をリセットすることができる。このため、ｄａｒｋ状態でも定期的に読出動作を行う必要がある（リセット動作）。
【０００７】
ところで、放射線検出器は、検査対象物に放射線を照射する放射線照射装置と非同期に動作しているため、従来の駆動タイミングでは、行の途中を選択しているときに放射線が照射されたことを示す放射線照射信号を受け取った場合、最終行までの選択を待ってから先頭行の駆動を開始し、それまでに蓄積した電荷をリセットした後に、放射線の照射による電荷（以下、信号電荷ともいう。）の蓄積を行う必要があった。
【０００８】
このように、行の途中を選択しているときに放射線照射信号を受け取った時点から、最終行までの選択を待って蓄積した電荷をリセットするまでのリセット時間を考慮するため、検査画像を得るために必要な時間以上の放射線を照射しなければならないという不都合があった。
【０００９】
この点に関し、特許文献１には、行駆動回路の駆動周波数を変更することでリセット動作に要する時間を短くする構成が記載されている。
【先行技術文献】
【特許文献】
【００１０】
【特許文献１】特開２００２−３３５４４６号公報
【発明の概要】
【発明が解決しようとする課題】
【００１１】
しかしながら、特許文献１に記載の構成でも、最長１フレーム期間待たなければならない点は変わらず行の選択の途中で放射線照射信号を受け取った場合での放射線照射時間を短くすることが難しい課題が発生する。
【００１２】
そこで、本発明は、行の選択の途中で放射線照射信号を受け取った場合での放射線照射時間を短くすることができる放射線検出器及び放射線透過画像取得システムを提供することを目的とする。
【課題を解決するための手段】
【００１３】
前記課題を解決するために、本発明は、次の第１態様から第３態様の放射線検出器並びに第１態様及び第２態様の放射線透過画像取得システムを提供する。
【００１４】
（１）第１態様の放射線検出器
本発明に係る第１態様の放射線検出器は、放射線を検出して電荷を発生する素子をマトリックス状に配置し、前記放射線の線量に対応する電荷を所定の周期で一行ずつ選択して読み出す放射線検出器であって、先頭行から最終行まで選択し終わる期間である１フレーム分の読み出しが終了するのを待つことなく、前記先頭行から行の選択を開始することを特徴とする。
【００１５】
（２）第１態様の放射線透過画像取得システム
本発明に係る第１態様の放射線透過画像取得システムは、前記本発明の第１態様に係る放射線検出器と、前記放射線検出器が読み出した電荷を画像に処理する情報処理装置とを備え、前記放射線検出器は、前記検査対象物への放射線照射の検出時のみ、前記読み出した電荷を前記情報処理装置へ転送することを特徴とする。
【００１６】
（３）第２態様の放射線検出器
本発明に係る第２態様の放射線検出器は、放射線を検出して電荷を発生する素子をマトリックス状に配置し、検査対象物を透過する放射線を検出する放射線検出器であって、前記電荷を、所定の周期で一行ずつ選択して先頭行から最終行まで選択し終わる期間である１フレーム分の読み出しを行う第１の期間と、前記検査対象物へ前記放射線が照射されたことを検出することにより、先頭行からの選択を開始し、前記電荷を、所定の周期で一行ずつ選択して前記先頭行から最終行まで選択し終わる期間である１フレーム分の読み出しを行う第２の期間とを備え、前記第２の期間は、前記第１の期間の終了を待つことなく開始し、前記第１の期間と、前記第２の期間とが重なる期間は、選択行が複数発生することを特徴とする。
【００１７】
（４）第２態様の放射線透過画像取得システム
本発明に係る第２態様の放射線透過画像取得システムは、前記本発明に係る第２態様の放射線検出器と、前記放射線検出器が読み出した電荷を画像に処理する情報処理装置とを備え、前記放射線検出器は、検査対象物への放射線照射の検出時のみ、前記読み出した電荷を前記情報処理装置へ転送することを特徴とする。
【００１８】
（５）第３態様の放射線検出器
本発明に係る第３態様の放射線検出器は、放射線を検出して電荷を発生する素子をマトリックス状に配置し、前記放射線が照射された検査対象物から検知した前記放射線の線量に対応する電荷を所定の周期で一行ずつ選択して読み出す放射線検出器であって、前記放射線の照射により蓄積された信号を読み出した後、先頭行から最終行まで選択し終わる期間である１フレーム分の読み出しによる電荷のリセットが終了するのを待つことなく、前記先頭行から行の選択を開始することを特徴とする。
【発明の効果】
【００１９】
本発明によると、行の選択の途中で放射線照射信号を受け取った場合での放射線照射時間を短くすることが可能となる。例えば、行の途中を選択している場合でも、現在の選択を維持したまま、先頭行から新たに選択を開始する信号を生成することが可能となる。
【図面の簡単な説明】
【００２０】
【図１】本実施の形態に係る放射線検出器を備えた放射線透過画像取得システムの概略構成を示すブロック図である。
【図２】図１に示す放射線透過画像取得システムにおける放射線検出器の概略構成を示すブロック図である。
【図３】センサ部において１つの光電受光素子と光電受光素子に接続された読出回路との構成例を示す回路図である。
【図４】放射線が照射されていない状態での放射線検出器における光電受光素子に対する駆動タイミングを示すタイミングチャートである。
【図５】従来の駆動タイミングを示すタイミングチャートである。
【図６】第１実施形態の駆動タイミングを示すタイミングチャートである。
【図７】第２実施形態の駆動タイミングを示すタイミングチャートである。
【図８】第３実施形態の駆動タイミングを示すタイミングチャートである。
【発明を実施するための形態】
【００２１】
以下、本発明に係る実施の形態について図面を参照しながら説明する。以下の説明では、同一の部品には同一の符号を付してある。それらの名称及び機能も同じである。従って、それらについての詳細な説明は繰り返さない。
【００２２】
［第１実施形態］
（放射線検出器の全体構成）
図１は、本実施の形態に係る放射線検出器１３０を備えた放射線透過画像取得システム１００の概略構成を示すブロック図である。
【００２３】
図１に示すように、放射線透過画像取得システム１００は、放射線（Ｘ線）を検査対象物２００に照射する放射線照射装置１１０と、検査対象物２００を透過した放射線の強度を検出して、画像を出力する画像検出装置１２０とを備えている。
【００２４】
放射線照射装置１１０は、放射線照射装置制御部１１１と、放射線照射部１１２とを備えている。放射線照射装置制御部１１１は、放射線の照射を指示する放射線照射指示信号Ｓａを出力して放射線を照射することを放射線照射部１１２に指示する。このとき、放射線照射装置制御部１１１は、放射線が照射されたことを示す放射線照射信号Ｓｂを画像検出装置１２０に出力して放射線の照射タイミングを画像検出装置１２０へ伝える。放射線照射部１１２は、放射線照射装置制御部１１１からの放射線照射指示信号Ｓａを受け取ると、放射線を検査対象物２００に向けて照射する。
【００２５】
画像検出装置１２０は、放射線検出器１３０と、放射線検出器１３０が読み出した電荷を画像に処理する情報処理装置１４０（パーソナルコンピュータ：ＰＣ）と、出力装置１５０（表示装置）とを備えている。
【００２６】
放射線検出器１３０は、放射線が照射された検査対象物２００から検知した放射線の線量に対応する電荷を所定の周期で一行ずつ選択して読み出す。
【００２７】
放射線検出器１３０は、検査対象物２００を透過した放射線の線量を検知するセンサ部１６０（センサパネル）と、放射線検出器制御部１７０とを備えている。
【００２８】
センサ部１６０は、放射線光変換部１６１（例えばシンチレータ）と、アレイ部１６２（例えばフォトダイオードアレイ）とを備えている。
【００２９】
放射線光変換部１６１は、放射線を光（可視光）に変換する機能を備える。放射線光変換部１６１は、検査対象物２００に照射された放射線の透過量に応じた発光量の光を発する。アレイ部１６２は、複数の光電受光素子１６２ａ〜１６２ａ（例えばフォトダイオード）が行方向Ｘ及び列方向Ｙに列設されている。放射線光変換部１６１は、アレイ部１６２における光電受光素子１６２ａ〜１６２ａを全面的に覆っている。光電受光素子１６２ａ〜１６２ａは、放射線光変換部１６１からの光の発光量に応じて光電変換する。
【００３０】
放射線検出器１３０では、放射線光変換部１６１からの光の発光量を光電受光素子１６２ａ〜１６２ａ毎に該発光量に応じた電荷量の電荷に変換する。変換した電荷を蓄積し、蓄積した電荷を読み出してデジタル処理する。こうすることで、検査対象物２００の透過像を得る。
【００３１】
放射線検出器制御部１７０は、放射線照射装置制御部１１１から送られてくる放射線照射信号Ｓｂの放射線の照射タイミングで、放射線が照射されるタイミングを検知する。放射線検出器制御部１７０は、放射線が照射されたときのアレイ部１６２からの信号（信号電荷）を情報処理装置１４０へ送信する。情報処理装置１４０は、放射線検出器制御部１７０から送られてきた信号に基づいて画像データを生成し、生成した画像データを出力装置１５０に出力（表示）する。
【００３２】
図２は、図１に示す放射線透過画像取得システム１００における放射線検出器１３０の概略構成を示すブロック図である。また、図３は、センサ部１６０において１つの光電受光素子１６２ａと光電受光素子１６２ａに接続された読出回路１６４との構成例を示す回路図である。
【００３３】
図２に示すように、センサ部１６０は、行駆動回路１６３と読出回路１６４とをさらに備えている。行駆動回路１６３は、アレイ部１６２における行方向Ｘの光電受光素子１６２ａ〜１６２ａを選択する。読出回路１６４は、行駆動回路１６３で選択された光電受光素子１６２ａにおいて蓄積された電荷を列方向Ｙに並列に読み出す。
【００３４】
この例では、センサ部１６０は、各光電受光素子１６２ａ〜１６２ａに蓄積された電荷をそのまま読み出すＰＰＳ（Ｐａｓｓｉｖｅ  Ｐｉｘｅｌ  Ｓｅｎｓｏｒ）方式を採用している。
【００３５】
図３に示すように、アレイ部１６２は、光電受光素子１６２ａの電荷蓄積部１６２ｂ（電荷蓄積ノード）と読出スイッチ１６２ｃとを備えている。
【００３６】
光電受光素子１６２ａは、光電変換により生成した電荷を電荷蓄積部１６２ｂに蓄積させる。これにより、光電受光素子１６２ａへの入射光量に応じた電荷が電荷蓄積部１６２ｂに蓄積される。
【００３７】
読出スイッチ１６２ｃは、一端側が電荷蓄積部１６２ｂに接続され、他端側が信号出力線１６５に接続されている。読出スイッチ１６２ｃは、電荷蓄積部１６２ｂと信号出力線１６５との間を読出回路制御部１７３からの指示に応じて遮断状態と導通状態とに切り替える。
【００３８】
また、読出回路１６４は、接続されている列配線毎に読出アンプ１６４ｃを備え、読出アンプ１６４ｃの後段にあるデジタル・アナログ変換回路（図示省略）から、光電受光素子１６２ａに蓄積されていた電荷に応じたデジタル値を出力する。
【００３９】
読出回路１６４は、アンプリセットスイッチ１６４ａ、帰還容量１６４ｂ及び読出アンプ１６４ｃを備えている。読出アンプ１６４ｃの入力端子には、信号出力線１６５、帰還容量１６４ｂの一端側及びアンプリセットスイッチ１６４ａの一端側が接続されている。また、読出アンプ１６４ｃの出力端子には、読出アンプ出力線１６６、帰還容量１６４ｂの他端側及びアンプリセットスイッチ１６４ａの他端側が接続されている。
【００４０】
これにより、読出スイッチ１６２ｃが導通状態に切り替えられると、電荷蓄積部１６２ｂに蓄積された電荷量に応じた電荷が読出アンプ１６４ｃに並列に接続された帰還容量１６４ｂに蓄積される。その結果、読出アンプ１６４ｃから読出アンプ出力線１６６への出力電位をＶｏｕｔ、電荷蓄積部１６２ｂに蓄積された電荷量をＱｓｉｇ、帰還容量１６４ｂをＣｆとすると、出力電位Ｖｏｕｔは、下記式（１）に示すように、フォトダイオード１６２ａに蓄積された電荷量に応じた出力電位になる。
【００４１】
Ｖｏｕｔ＝Ｑｓｉｇ／Ｃｆ  …  （１）
この際、信号出力線１６５の電位は、読出アンプ１６４ｃのフィードバックにより、所定の電位に設定される。読み出しが終わると、読出スイッチ１６２ｃは開かれ（オフされ）、電荷蓄積部１６２ｂと信号出力線１６５との間が遮断されて電荷蓄積部１６２ｂに再び電荷が蓄積されていく。
【００４２】
図２に示すように、放射線検出器制御部１７０は、放射線照射信号検出部１７１と行駆動回路制御部１７２（行選択制御部）と読出回路制御部１７３とホスト通信部１７４とを備えている。
【００４３】
放射線照射信号検出部１７１は、放射線照射装置制御部１１１（図１参照）からの放射線照射信号Ｓｂの送信の有無を検出し、放射線照射信号Ｓｂの送信の有を検出すると、行駆動回路制御部１７２に対して行駆動（行選択）の開始を指示する。
【００４４】
以下、本実施の形態の動作説明を行う。
【００４５】
図４は、放射線が照射されていない状態（ｄａｒｋ時）での放射線検出器１３０における光電受光素子１６２ａ〜１６２ａに対する駆動タイミングを示すタイミングチャートである。
【００４６】
次に、図２及び図４を参照しながら、放射線の照射が無い状態で蓄積された暗電流（放射線の照射以外で発生する電荷）をリセットするリセット動作を以下に説明する。
【００４７】
放射線の照射が無いため、放射線照射信号検出部１７１は、放射線照射信号Ｓｂを検知しない。このため、行駆動回路制御部１７２は、図４に記載の様に行駆動回路１６３へ行駆動開始信号Ｓｃを予め決められた間隔で出力する。行駆動回路１６３は、光電受光素子１６２ａ〜１６２ａの行を順にアクティブにする信号を出力する（図２及び図４中のＲ１〜Ｒｎ参照）。アクティブになった各行は、各行にある光電受光素子１６２ａに蓄積された電荷を読出回路１６４へ出力する（図２中のＳ１〜Ｓｍ参照）。このとき、蓄積された電荷を読み出した光電受光素子１６２ａは、電荷を失い、リセットされる。前述した動作を繰り返すことにより、発生する暗電流を定期的にリセットしている。
【００４８】
すなわち、行駆動回路１６３は、先頭行から最終行に向かって、所定の周期で一行ずつ光電受光素子１６２ａを選択（スキャン）する。ここで、行駆動回路１６３が先頭行から最終行まで選択し終わる期間を背景技術と同様に１フレームと定義する。特に前述のように予め決められた間隔で先頭行から最終行まで選択し終わる動作の１フレームを第１の期間と呼ぶことにする。
【００４９】
次に放射線を照射された状態の動作を説明する。
【００５０】
図６は、放射線が照射される場合での放射線検出器１３０における光電受光素子１６２ａ〜１６２ａに対する本実施の形態の駆動タイミングを示すタイミングチャートである。また、本実施の形態の効果を説明するために、図５に従来の回路の動作タイミングを示す。
【００５１】
図２、図５及び図６を参照しながら、放射線照射時での電荷の読出動作について以下に説明する。
【００５２】
従来の回路では、図５に示すように、行の選択の途中で放射線の照射を開始した場合（行の途中を選択しているときに放射線照射があった場合）（図５中のα参照）、行毎の放射線による信号蓄積期間ｔＲ１と信号蓄積期間ｔＲｎとが異なることから、信号蓄積期間を同一にするため、先頭行に戻って一度電荷のリセットをリセット期間だけ行い、リセット後に信号（信号電荷）の蓄積を開始する必要があった。すなわち、最終行までの選択を待ってから、γ後の行駆動開始信号Ｓｃ（ｔ３）により先頭行の駆動を開始し、それまでに蓄積した電荷をリセットした後に、放射線の照射による信号（信号電荷）の蓄積を行う必要があった。そうすると、最終行の選択が完了して次の行駆動開始信号Ｓｃの出力がないと、先頭行の選択を開始できないため、それだけ無駄な待ち時間が生じる。
【００５３】
詳しくは、図５に示すように、第１時間ｔ１で行駆動回路の出力が始まっており、放射線照射が始まり（図５中のα参照）次の行駆動開始信号Ｓｃが出力される第３時間ｔ３までのデータは全体の画像データではないので、第３時間ｔ３からのデータを画像データとして取得する必要がある。すなわち放射線照射期間が２フレーム期間以上必要であり、無駄な放射線照射期間が発生する。
【００５４】
このように、行の途中を選択しているときに放射線照射が開始された時点から、最終行までの選択を待って蓄積した電荷をリセットするまでのリセット時間Ｔａを考慮するため、検査画像を得るために必要な時間以上の放射線を照射しなければならない。
【００５５】
一方、図６に示す本実施の形態の回路の駆動タイミングでは、放射線検出器１３０が、放射線照射信号Ｓｂを検出すると、行の選択状態に関わらず先頭行からの行の選択を開始する。また、放射線検出器１３０は、放射線の照射により蓄積された信号（信号電荷）を読み出した後、１フレーム分の読み出しが終了するのを待つことなく、先頭行から行の選択を開始する。このように駆動することで、放射線照射信号Ｓｂを検出してから、すぐに放射線の照射による信号（信号電荷）の蓄積を開始することができ、放射線照射時間を従来よりも短くしながら、従来と同等品質の検査画像を得ることができる。
【００５６】
詳しくは、図６に示すように、行駆動回路制御部１７２は、放射線照射信号Ｓｂがｏｎするまでは、行駆動開始信号Ｓｃを、図４で説明したように、一定間隔のタイミングで行駆動回路１６３へ出力している（図６中の第１時間ｔ１参照）。行駆動回路制御部１７２は、選択途中であっても、放射線照射信号検出部１７１が放射線照射信号Ｓｂを検知すると（図６中のα参照）、先頭行に対する行駆動開始信号Ｓｃを生成して（図６中の第２時間ｔ２参照）、すぐに行駆動開始信号Ｓｃを行駆動回路１６３へ出力する。
【００５７】
行駆動回路１６３は、行駆動回路出力（Ｒ１〜Ｒｎ）を最初からやり直す。ここで、放射線照射の検知により、行駆動回路制御部１７２が反応して行われる１フレームを、上記第１の期間と区別するために第２の期間と呼ぶことにする。このことにより、読出回路１６４は、放射線照射信号Ｓｂがオンになるとすぐに、すなわち放射線が照射されるとすぐに、光電受光素子１６２ａからの信号（信号電荷）の第２の期間の読み出しを開始することが可能になり、それだけ、リセット時間Ｔａを短くすることができる。図６中に図５のタイミングを引用し、リセット時間Ｔａの比較を記載する。図６に記載のようにβ期間だけ短くなることがわかる。従って、行の選択の途中で放射線照射信号を受け取った場合での信号読出し完了を早くすることができ、放射線照射期間を短くすることができる。ここで、第１の期間と第２の期間とが重なる期間は、図６のように、選択行が複数発生する。図６では第１の期間と第２の期間とが重なる期間において、行駆動回路出力Ｒ１と行駆動回路出力Ｒ５、行駆動回路出力Ｒ２と行駆動回路出力Ｒ６、行駆動回路出力Ｒ３と行駆動回路出力Ｒ７．．．のように複数の選択行が発生する。
【００５８】
読出回路１６４に読み出されたデータは、読出回路制御部１７３からホスト通信部１７４を通じて情報処理装置１４０へ出力される。
【００５９】
行駆動回路制御部１７２は、放射線照射信号Ｓｂを検出したときに放射線照射信号Ｓｂがオンしたことを読出回路制御部１７３にも伝える。これにより、放射線の照射が有るときのみ、センサ部１６０の検知結果（信号電荷）をホスト通信部１７４へ送信を行うことも可能である。
【００６０】
［第２実施形態］
本実施の形態に係る放射線検出器１３０は、先頭行から最終行まで選択し終わる期間である１フレーム分の読み出しが終了するのを待つことなく、先頭行から行の選択を開始することができるので、図７のように、放射線照射が行われた後の信号蓄積、信号読み出しが終了した後に、暗電流のリセット期間を考慮することなく、放射線の照射を行い、放射線透過画像の取得が可能である。
【００６１】
［第３実施形態］
放射線照射後に行う信号蓄積により、センサ部１６０には多くの電荷が蓄積されている。読出動作により、ほぼ全ての電荷は読出回路１６４へ転送されるが、残留する電荷もある。この電荷が次回の読み出しに影響を与え、残像として検出される。残像の発生を防ぐために、図８のように、放射線照射後の信号読み出し後に、短時間で複数回の読み出しを行い、電荷のリセットを行う。
【００６２】
このような複数回の読み出しの期間であっても、本実施の形態に係る放射線検出器１３０は、放射線が照射されれば、駆動周波数を基に戻して電荷の蓄積及び読み出しを行う。
【００６３】
本発明は、以上説明した実施の形態に限定されるものではなく、他のいろいろな形で実施することができる。そのため、係る実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【００６４】
１００    放射線透過画像取得システム
１１０    放射線照射装置
１１１    放射線照射装置制御部
１１２    放射線照射部
１２０    画像検出装置
１３０    放射線検出器
１４０    情報処理装置
１５０    出力装置
１６０    センサ部
１６１    放射線光変換部
１６２    アレイ部
１６２ａ  各光電受光素子
１６２ａ  光電受光素子
１６２ｂ  電荷蓄積部
１６２ｃ  読出スイッチ
１６３    行駆動回路
１６４    読出回路
１６４ａ  アンプリセットスイッチ
１６４ｂ  帰還容量
１６４ｃ  読出アンプ
１６５    信号出力線
１６６    読出アンプ出力線
１７０    放射線検出器制御部
１７１    放射線照射信号検出部
１７２    行駆動回路制御部
１７３    読出回路制御部
１７４    ホスト通信部
２００    検査対象物
Ｓａ      放射線照射指示信号
Ｓｂ      放射線照射信号
Ｓｃ      行駆動開始信号
Ｔａ      リセット時間
Ｘ        行方向
Ｙ        列方向
【図１】
2019201329.tif 000003
【図２】
2019201329.tif 000004
【図３】
2019201329.tif 000005
【図４】
2019201329.tif 000006
【図５】
2019201329.tif 000007
【図６】
2019201329.tif 000008
【図７】
2019201329.tif 000009
【図８】
2019201329.tif 000010